(57)【特許請求の範囲】
【請求項１】
複数の受光素子および複数の印字用素子をそれぞれ列状に並べて同一片面上に搭載した基板と、
上記複数の印字用素子の搭載領域を避けるようにして上記基板に組み付けられており、かつ上記複数の受光素子による画像読み取り対象領域が設定される透明カバーを上記基板の上記片面側に配置させて装着しているケースと、
上記ケース、上記基板、およびこれらに組み付けられた部材のいずれかに一体または別体に設けられ、かつ上記複数の印字用素子または上記透明カバーに対向配置されるプラテンローラを支持可能に形成されたプラテンローラ用支持手段と、
を具備していることを特徴とする、画像読み書き一体ヘッド。
【請求項２】
上記プラテンローラ用支持手段は、上記ケースと一体的に樹脂成形されている、請求項１に記載の画像読み書き一体ヘッド。
【請求項３】
上記印字用素子は、発熱素子であるとともに、上記基板には放熱板が接触するようにして組み付けられており、かつこの放熱板の一部によって上記プラテンローラ用支持手段が形成されている、請求項１に記載の画像読み書き一体ヘッド。
【請求項４】
請求項１ないし３のいずれかに記載の画像読み書き一体ヘッドを具備していることを特徴とする、画像処理装置。
【請求項５】
上記透明カバーに対向する原稿用プラテンローラと、上記複数の印字用素子に対向する記録紙用プラテンローラと、を具備しているとともに、上記プラテンローラ用支持手段は、上記画像読み書き一体ヘッドが上記記録紙用プラテンローラの軸部周りに回動できるように上記記録紙用プラテンローラの軸部と嵌合しており、かつ上記画像読み書き一体ヘッドは、上記透明カバーが上記原稿用プラテンローラに押しつけられる回転方向に弾性部材によって付勢されている、請求項４に記載の画像処理装置。
【発明の詳細な説明】
【０００１】
【技術分野】
本願発明は、画像の読み取り機能とプリント機能とを併せもつ画像読み書き一体ヘッド、およびこれを備えた画像処理装置に関する。
【０００２】
【従来の技術】
画像処理装置のうち、たとえばファクシミリ装置では、画像の読み取り機能とプリント機能とを併せもつ必要がある。また、画像処理装置の多くは、装置全体の小型化が要請される。そこで、従来では、図９に示すような画像読み書き一体ヘッドＨがある。この従来の画像読み書き一体ヘッドＨは、透明カバー１９ｅを上面部に装着したケース１ｅと、このケース１ｅの底部に取付けられた基板４ｅとを具備している。上記基板４ｅの表裏両面４０，４１には、複数の受光素子２ｅと印字用の複数の発熱素子８ｅとがこの基板４ｅの長手方向に延びた列状に配されて実装されている。上記ケース１ｅの内部には、光源３ｅと結像用レンズ５ｅとが組み込まれており、上記光源３ｅから発せられた光が上記透明カバー１９ｅの表面の画像読み取り対象領域Ｓｅに照射されるとともに、その領域Ｓｅから反射してきた光は上記結像用レンズ５ｅを介して上記複数の受光素子２ｅに導かれるように構成されている。
【０００３】
上記画像読み書き一体ヘッドＨでは、画像読み取り対象領域Ｓｅに配置される原稿Ｄの画像を複数の受光素子２ｅを利用して読み取ることができる。一方、上記複数の発熱素子８ｅを利用してたとえば感熱タイプの記録紙Ｋに所望の画像データを印字出力することができる。
【０００４】
【発明が解決しようとする課題】
しかしながら、上記従来の画像読み書き一体ヘッドＨでは、次のような不具合があった。
【０００５】
すなわち、従来では、複数の受光素子２ｅが基板４ｅの表面４０に実装されているのに対し、複数の発熱素子８ｅは基板４ｅの裏面４１に実装されている。このため、基板４ｅへの部品実装作業においては、基板４ｅの表面４０に受光素子２ｅを実装した後に発熱素子８ｅや駆動ＩＣ８０ｅの実装作業を行うときに、基板４ｅの表裏を反転させる必要がある。また、基板４ｅには、画像の読み取り系と印字出力系の２種類の配線パターンを予め形成しておく必要があり、これら２種類の配線パターンを基板４ｅの表裏両面にそれぞれ別個に形成する作業も煩雑となる。したがって、従来の画像読み書き一体ヘッドＨの生産性は悪いものとなっていた。
【０００６】
さらに、従来では、上記画像読み書き一体ヘッドＨを用いて画像処理装置を実際に製作する場合には、原稿用プラテンローラＰ1 については画像読み書き一体ヘッドＨの上方に配置する必要があるのに対し、記録紙用プラテンローラＰ2 については画像読み書き一体ヘッドＨの下方に配置する必要がある。このため、上記２つのプラテンローラＰ1 ，Ｐ2 と画像読み書き一体ヘッドＨとを組み合わせた機構全体がその高さ方向に大きく嵩張ったものとなり、その小型化の面においても改善すべき余地があった。
【０００７】
一方、画像読み書き一体ヘッドは、実際の使用に際しては、既述したとおり原稿用プラテンローラや記録紙用プラテンローラと組み合わされる。したがって、画像読み書き一体ヘッドとしては、原稿用プラテンローラや記録紙用プラテンローラとの関係において、それらの相対的な位置合わせや取付けなどが容易に行える構造とすることが要請される。
【０００８】
本願発明は、このような事情のもとで考え出されたものであって、画像読み書き一体ヘッドの生産性を高め、しかも画像読み書き一体ヘッドをプラテンローラと組み合わせて画像処理装置を構成する場合には、それらの部品の取付けなどが容易に行えるとともにそれら全体の小型化をも図ることができるようにすることをその課題としている。
【０００９】
【発明の開示】
上記の課題を解決するため、本願発明では、次の技術的手段を講じている。
【００１０】
すなわち、本願発明の第１の側面によれば、画像読み書き一体ヘッドが提供さる。この画像読み書き一体ヘッドは、複数の受光素子および複数の印字用素子をそれぞれ列状に並べて同一片面上に搭載した基板と、上記複数の印字用素子の搭載領域を避けるようにして上記基板に組み付けられており、かつ上記複数の受光素子による画像読み取り対象領域が設定される透明カバーを上記基板の上記片面側に配置させて装着しているケースと、上記ケース、上記基板、およびこれらに組み付けられた部材のいずれかに一体または別体に設けられ、かつ上記複数の印字用素子または上記透明カバーに対向配置されるプラテンローラを支持可能に形成されたプラテンローラ用支持手段と、を具備していることに特徴づけられる。
【００１１】
本願発明によって提供される画像読み書き一体ヘッドでは、ケースが複数の印字用素子を避けた位置に設けられているために、それら複数の印字用素子に対向する箇所に記録紙を適切に移送することが可能であり、これにより記録紙への画像データの印字出力処理を行うことができる。また、透明カバーの表面に原稿を移送すれば、この原稿の画像を複数の受光素子を利用して読み取ることもできる。そして、本願発明では、次のような格別な効果が得られる。
【００１２】
第１に、本願発明では、複数の受光素子と複数の印字用素子とを基板の同一片面上に搭載しているために、それら受光素子や印字用素子の搭載作業は、従来とは異なり、基板の表裏を反転させることなく行える。また、受光素子や印字用素子に関連する配線パターンも基板の同一面に対して形成すればよいため、それらの配線パターンを同時に形成することも可能となる。したがって、画像読み書き一体ヘッドの生産性を従来よりも高めることができる。
【００１３】
第２に、本願発明では、複数の印字用素子が搭載されている基板の片面と同一面側に透明カバーを配置した構造であるために、複数の印字用素子に対向する記録紙用プラテンローラと透明カバーに対向する原稿用プラテンローラについても、基板の同一片面側に配置されることとなる。したがって、本願発明では、画像読み書き一体ヘッドを挟むようにしてその両側に２つのプラテンローラを配置する必要があった従来のものと比較すると、それら全体のサイズが大きく嵩張らないようにでき、画像読み書き一体ヘッドを用いて構成される画像処理装置の小型化または薄型化が図れる。
【００１４】
第３に、本願発明では、画像読み書き一体ヘッドにプラテンローラ用支持手段を具備させた構成であるために、画像読み書き一体ヘッドに対して一定の関係になるようにプラテンローラを取付ける場合にはこのプラテンローラ用支持手段を利用してプラテンローラの取付け、あるいは位置決めを図ることができる。したがって、プラテンローラを支持するための手段を別途設ける必要を無くしたり、あるいはその構造を簡易なものにすることができ、画像処理装置全体の構造を簡素にできる。また、画像処理装置を製作する際の部品の組み付け作業性も良好なものにできる。
【００１５】
本願発明の好ましい実施の形態では、上記プラテンローラ用支持手段は、上記ケースと一体的に樹脂成形されている。
【００１６】
このような構成によれば、プラテンローラ用支持手段をケースと同時に樹脂成形できるために、その製造が容易となる。また、全体の部品点数の増加も招かないため、画像読み書き一体ヘッドの組立作業性も良好なものにできる。
【００１７】
本願発明の他の好ましい実施の形態では、上記印字用素子は、発熱素子であるとともに、上記基板には放熱板が接触するようにして組み付けられており、かつこの放熱板の一部によって上記プラテンローラ用支持手段が形成されている。
【００１８】
このような構成によれば、発熱素子から発せられた熱を放熱板を介して外部に逃がすことができるために、発熱素子の過熱を防止してその温度を安定させることができ、プリント画像の質を高めることができる。上記構成では、このような放熱板を利用してプラテンローラ用支持手段を形成しているために、プラテンローラ用支持手段を形成するための専用の部品を用いる必要がなく、部品点数の増加を抑制できる。
【００１９】
本願発明の第２の側面によれば、画像処理装置が提供される。この画像処理装置は、本願発明の第１の側面によって提供される画像読み書き一体ヘッドを具備していることに特徴づけられる。
【００２０】
本願発明の第２の側面によれば、本願発明の第１の側面によって得られるのと同様な効果が期待できる。
【００２１】
本願発明の好ましい実施の形態では、上記透明カバーに対向する原稿用プラテンローラと、上記複数の印字用素子に対向する記録紙用プラテンローラと、を具備しているとともに、上記プラテンローラ用支持手段は、上記画像読み書き一体ヘッドが上記記録紙用プラテンローラの軸部周りに回動できるように上記記録紙用プラテンローラの軸部と嵌合しており、かつ上記画像読み書き一体ヘッドは、上記透明カバーが上記原稿用プラテンローラに押しつけられる回転方向に弾性部材によって付勢されている。
【００２２】
このような構成によれば、記録紙用プラテンローラについては、画像読み書き一体ヘッドに設けられているプラテンローラ用支持手段に支持されることによって、画像読み書き一体ヘッドとの相対的な位置決めが図れることとなり、複数の印字用素子や記録紙に対する記録紙用プラテンローラの押圧力などを所望の状態に適切に設定することができる。また、原稿用プラテンローラについては、透明カバーをこの原稿用プラテンローラに押しつけるように画像読み書き一体ヘッドを一定方向に付勢する弾性部材の弾発力や位置などを調整することにより、透明カバーや原稿に対する押圧力などを所望の状態に適切に設定することが可能となる。
【００２３】
本願発明のその他の特徴および利点は、以下に行う発明の実施の形態の説明から、より明らかになるであろう。
【００２４】
【発明の実施の形態】
以下、本願発明の好ましい実施の形態について、図面を参照しつつ具体的に説明する。
【００２５】
図１は、本願発明に係る画像読み書き一体ヘッドの一例を示す斜視図である。図２は、図１に示す画像読み書き一体ヘッドの分解斜視図である。図３は、図１のIII −III 断面図である。図４は、図１のIV−IV要部断面図である。図５は、図４のＶ−Ｖ断面図である。
【００２６】
図２および図３によく表れているように、本実施形態の画像読み書き一体ヘッドＡは、ケース１、透明カバー１９、レンズアレイ５、光反射防止部材６、基板４、放熱板７、およびその他の後述する各部品類を具備して構成されている。
【００２７】
上記基板４は、たとえばセラミック製であり、平面視長矩形状のプレート状である。この基板４の表面４ａ（片面）には、複数の光源３０、複数の受光素子３、複数の駆動ＩＣ８０、および複数の発熱素子８が搭載されている。
【００２８】
上記複数の光源３０は、たとえばＬＥＤチップを用いて構成されており、上記基板４の長手方向に適当な間隔を隔てて列状に実装されている。上記複数の受光素子３は、光電変換機能を備えた素子であり、上記複数の光源３０の列と略平行な列状に実装されている。上記複数の発熱素子８は、本願発明でいう印字用素子の一例に相当するものであり、その製造は、たとえば酸化ルテニウムなどを導体成分とする厚膜抵抗ペーストを印刷・焼成することによって上記基板４の長手方向に一連に延びる線状の発熱抵抗体を形成するとともに、この発熱抵抗体をその長手方向に沿って一定間隔で電気的に分断する配線パターンを形成することによってなされている。上記複数の駆動ＩＣ８０は、上記複数の発熱素子８の発熱駆動を制御するためのものであり、上記複数の光源３０と同様に、上記基板４の長手方向に適当な間隔を隔てて列状に実装されている。
【００２９】
上記発熱素子８の列は、上記基板４の長手方向に延びる一側縁部４ｃまたはその近傍に配置されているのに対し、駆動ＩＣ８０、受光素子３、および光源３０のそれぞれの列は、上記発熱素子８の列よりも上記基板４の他側縁部４ｄ寄りの部分に配置されている。上記基板４の表面４ａには、この表面４ａ上に搭載された上記各部品類に関連する配線パターン（図示略）が形成されている。上記基板４の適所には上記配線パターンのそれぞれと導通した１または複数のコネクタ（図示略）が設けられており、このコネクタに配線接続を行うことによって外部機器から上記各部品類への電力供給や各種の信号の入出力が行えるようになっている。
【００３０】
上記放熱板７は、上記基板４と略同様な形状およびサイズのプレート状に形成されたものであり、上記基板４の裏面４ｂにたとえば両面接着テープや接着剤を介して接着されている。この放熱板７は、複数の発熱素子８から発する熱を外部に逃がすためのものであり、熱伝導率の高い金属製である。
【００３１】
上記ケース１は、合成樹脂製であり、このケース１の長手方向両端部には、記録紙用プラテンローラＰ2 を支持するための一対の支持部２，２が一体的に形成されている。これらの支持部２，２は、ケース１の外側面１ａからその側方に突出した形態を有しており、それらの各上部には記録紙用プラテンローラＰ2 の軸部９０ｂを嵌入させるための半円弧状部を有する上部開口状の凹部２０が形成されている。
【００３２】
上記ケース１は、上記複数の発熱素子８の搭載箇所およびその近傍部分を避け、かつ基板４の表面４ａのそれ以外の部分を覆うように、上記基板４およ放熱板７に組み付けられている。基板４の複数の発熱素子８が搭載されている領域およびその近傍領域は、上記ケース１の一側方にはみ出しており、平面視において上記複数の発熱素子８の列の延長線上に支持部２，２の凹部２０，２０が丁度位置するように設定されている。上記支持部２，２の互いに対向する内向面の下部には支持用凸部２１，２１が設けられており、これらの支持用凸部２１，２１に放熱板７の長手方向両端部が載置されている。これにより、ケース１、基板４、および放熱板７の三者を互いに安定させて組み付けることが可能となる。
【００３３】
上記透明カバー１９は、読み取り対象となる原稿Ｄをガイドするためのものであり、この透明カバー１９の表面に画像読み取り対象領域Ｓが設定される。この透明カバー１９は、たとえば透明度の高いガラス製または合成樹脂製のプレートであり、上記ケース１の上面部の凹部１３に嵌め込まれて装着され、基板４の表面４ａ側に位置している。ただし、上記ケース１の上面部および上記凹部１３は傾斜しており、これに伴って上記透明カバー１９も傾斜している。より具体的には、上記透明カバー１９は、基板４の一側縁部４ｃから遠ざかるほどその高さが低くなるように傾斜している。また、上記ケース１の幅方向の両外側面１ａ，１ｂのうち、発熱素子８に近い側の外側面１ａは、その上部側ほど上記基板４の一側縁部４ｃから遠ざかるように傾斜している。
【００３４】
上記レンズアレイ５は、長細な合成樹脂製のレンズホルダ５０に複数のロッドレンズ５１を列状に保持させたものである。結像用レンズとしてロッドレンズ５１を用いれば、原稿Ｄの画像を各受光素子３上に正立等倍に結像させることが可能であるが、むろんこれ以外のレンズを用いてもかまわない。上記レンズアレイ５は、上記透明カバー１９の下方においてこの透明カバー１９に対向して設けられた凹溝１２に嵌入している。上記透明カバー１９の表面のうち、上記レンズアレイ５と対向するライン状の領域が画像読み取り対象領域Ｓである。
【００３５】
上記ケース１の内部には、上記光源３０から発せられた光を導くための第１の光路１４ａと第２の光路１４ｂとが設けられている。第１の光路１４ａは、ケース１の上下厚み方向に貫通して形成されており、複数の光源３０から発せられた光を上記画像読み取り対象領域Ｓに導く光路である。第２の光路１４ｂは、上記凹溝１２を含んで形成されており、上記画像読み取り対象領域Ｓに位置する原稿表面によって反射された光をレンズアレイ５を介して複数の受光素子３上に導く光路である。上記ケース１は、その全体が光の反射率が高い白色の樹脂製とされている。したがって、複数の光源３０から発せられた光については、第１の光路１４ａの白色の壁面によって高い反射率で反射させながら画像読み取り対象領域Ｓに導くことができ、画像読み取り対象領域Ｓへの光の照射効率を高くすることが可能である。
【００３６】
上記光反射防止部材６は、たとえば黒色顔料やガラス粉末を含むポリカーボネートあるいはＡＢＳ樹脂などの合成樹脂製であり、各所の表面は光の吸収率が高い黒色とされている。この光反射防止部材６は、複数の受光素子３および複数の駆動ＩＣ８０の周囲を一纏めにして囲むように、ケース１の底部に設けられた凹部１１内に配されている。より具体的には、この光反射防止部材６は、複数の受光素子３および複数の駆動ＩＣ８０の上方に位置する上壁部６０、この上壁部６０の幅方向両側端縁から下方に突出した２つの側壁部６１ａ，６１ｂ、および図２によく表れているように、上記上壁部６０の長手方向両端から下向きに突出した２つの側壁部６１ｃ，６１ｄを有している。上記４つの側壁部６１ａ〜６１ｄは、複数の受光素子３および複数の駆動ＩＣ８０の四方を囲むとともに、それらの先端部はいずれも基板４の表面４ａに接触し、それらの間に外部の光の進入路となる隙間が極力生じないように構成されている。上記基板４の表面４ａのうち、少なくとも上記４つの側壁部６１ａ〜６１ｄの各先端部と接触する部分は、光の吸収率が高い黒色とされている。このようにすれば、上記基板４の表面４ａと上記側壁部６１ａ〜６１ｄの先端部との間に仮に隙間が生じても、この隙間に進入してきた外部からの光の多くを上記黒色部分によって吸収することができ、光反射防止部材６によって囲まれた領域内に外部の光が多量に進入しないようにできる。上記上壁部６０には、第２の光路１４ｂを塞がないようにするためのスリット６３が設けられている。
【００３７】
図４によく表れているように、上記光反射防止部材６は、その上壁部６０に設けられた複数の突起部６４を上記ケース１に設けられている複数の凹部１５に嵌入させることによって上記ケース１に取付けられている。また、上記光反射防止部材６の幅方向の一側縁部には、先端に溝部６５ａを有する複数のクランプ用突起６５が突設されている。図５によく表れているように、上記各クランプ用突起６５は、第１の光路１４ａに設けられているケース１のリブ１６をその厚み方向両側から適当な弾発力をもってクランプするものである。上記光反射防止部材６は、上記複数のクランプ用突起６５によってもケース１への取付けが図られていおり、上記ケース１に相対してその長手方向や幅方向に位置ずれしないようになっている。上記リブ１６は、ケース１の剛性を確保するなどの観点から第１の光路１４ａの長手方向に適当な間隔で複数設けられたものである。
【００３８】
図６は、上記画像読み書き一体ヘッドＡを具備して構成された画像処理装置Ｂの概略構成の一例を示す説明図である。
【００３９】
この画像処理装置Ｂは、合成樹脂製の筐体９内に、上記画像読み書き一体ヘッドＡ、原稿Ｄを移送するための駆動回転自在な原稿用プラテンローラＰ1 、および巻取ロールＲから繰り出される記録紙Ｋを移送するための駆動回転自在な記録紙用プラテンローラＰ2 を組み込んで構成されている。上記原稿用プラテンローラＰ1 は、その長手方向両端の軸部９０ａがブラケット片９１ａによって支持されており、そのローラ本体部分は上記透明カバー１９の画像読み取り対象領域Ｓに対向する箇所に固定配置され、または固定配置可能となっている。上記記録紙用プラテンローラＰ2 は、その長手方向両端の軸部９０ｂが画像読み書き一体ヘッドＡの支持部２，２の各凹部２０に嵌入しており、そのローラ本体部分は上記複数の発熱素子８に対向している。ただし、上記記録紙用プラテンローラＰ2 は、ブラケット片９１ｂによっても支持されており、筐体９内の所定位置に固定配置され、または固定配置可能となっている。
【００４０】
上記画像読み書き一体ヘッドＡは、上記記録紙用プラテンローラＰ2 の軸部９０ｂを中心として矢印Ｎａに示す上下方向に回動可能に設けられている。すなわち、上記記録紙用プラテンローラＰ2 は、ブラケット９１ｂによって定位置に保持されている一方、画像読み書き一体ヘッドＡはその支持部２，２の各凹部２０が上記記録紙用プラテンローラＰ2 の軸部９０ｂに対してその周方向に摺動できるように嵌合しているため、上記画像読み書き一体ヘッドＡを上記軸部９０ｂを中心として回動可能とすることができるのである。上記画像読み書き一体ヘッドＡの放熱板７の下方には、この放熱板７の裏面に当接して上記画像読み書き一体ヘッドＡを押圧するための弾性部材の一例としてのバネ９２が設けられている。このバネ９２は、基板４や放熱板７の幅方向において、上記軸部９０の中心Ｏから適当な距離Ｌだけ受光素子３側に偏った位置に配されており、このバネ９２の押圧力Ｆによって上記画像読み書き一体ヘッドＡは、透明カバー１９の表面が原稿用プラテンローラＰ1 に押しつけられる回転方向（矢印Ｎｂ方向）に付勢されている。
【００４１】
次に、上記画像読み書き一体ヘッドＡ、および上記画像処理装置Ｂの作用について説明する。
【００４２】
まず、上記画像処理装置Ｂでは、画像読み書き一体ヘッドＡが画像の読み取り機能とプリント機能とを併せもつために、原稿Ｄの画像読み取りと記録紙Ｋへの画像の印字出力とを個別に、または同時に行うことができる。原稿用プラテンローラＰ1 および記録紙用プラテンローラＰ2 は、いずれも上記画像読み書き一体ヘッドＡの同一片面側、すなわち上方側に配置すればよい。したがって、これら２つのプラテンローラＰ1 ，Ｐ2 と画像読み書き一体ヘッドＡとの三者が画像処理装置Ｂの高さ方向に大きく嵩張らないようにでき、画像処理装置Ｂの薄型化が図れる。記録紙用プラテンローラＰ2 に対向するケース１の外側面１ａは傾斜しているために、上記ケース１からはみ出した基板４の一側縁部４ｃの上方に記録紙用プラテンローラＰ2 を配置するための比較的大きな空間スペースを確保できる。したがって、上記ケース１から基板４の一側縁部４ｃをさほど大きくはみ出させることなく、記録紙用プラテンローラＰ2 をケース１に接近させて配置することも可能となり、全体の小型化を図る上で、一層好ましいものとなる。
【００４３】
上記画像読み書き一体ヘッドＡ、原稿用プラテンローラＰ1 、および記録紙用プラテンローラＰ2 の三者は、これらが所定の正確な位置関係となるように筐体９内に組み込む必要がある。これに対し、上記記録紙用プラテンローラＰ2 と画像読み書き一体ヘッドＡとの関係については、画像読み書き一体ヘッドＡの支持部２，２の各凹部２０と記録紙用プラテンローラＰ2 の軸部９０ｂとを嵌合させることによってそれらの位置決めを図ることができる。したがって、その分だけ筐体９内に上記画像読み書き一体ヘッドＡと記録紙用プラテンローラＰ2 とを位置合わせして組み込む作業が容易化される。一方、原稿用プラテンローラＰ1 については、バネ９２の押圧力Ｆによって透明カバー１９が常時原稿用プラテンローラＰ1 に押しつけられる方向に付勢されているために、やはり原稿Ｄを透明カバー１９の表面に密接させるようにしてスムーズに移送することができる。一般的には、記録紙の厚みは略一定であるものの、原稿としては種々の厚みのものが用いられる。これに対し、この画像処理装置Ｂでは、画像読み書き一体ヘッドＡが上記軸部９０ｂを中心として回動することにより、原稿用プラテンローラＰ1 と透明カバー１９との間の距離を原稿Ｄの厚みに応じて変化させることもできるために、原稿Ｄの紙詰まりも生じ難いものにできる。
【００４４】
一方、上記画像読み書き一体ヘッドＡは、複数の光源３０、複数の受光素子３、複数の駆動ＩＣ８０、および複数の発熱素子８のいずれにもついても基板４の表面４ａに実装しており、またそれらに関連する配線パターンも上記表面４ａに形成している。したがって、上記各部品の実装作業や配線パターンの作製作業に際しては、上記基板４を表裏反転させるような必要はなく、その生産性を高めることができる。ケース１を基板４や放熱板７に組付けるときには、それ以前の段階においてケース１に光反射防止部材６を予め取付けておくが、この光反射防止部材６は複数の受光素子３と複数の駆動ＩＣ８０とを一纏めに囲むように配置されるものであり、たとえば複数の受光素子３と複数の駆動ＩＣ８０との間を仕切るように複数の受光素子３のみを覆うものではない。したがって、上記光反射防止部材６が上記複数の受光素子３や駆動ＩＣ８０に不当に接触する虞れも少なくできる。
【００４５】
上記画像処理装置Ｂでは、原稿Ｄの読み取り動作と記録紙Ｋへの画像のプリント動作とが同時になされる場合がある。これに対して、ケース１の外側面１ａはその上部ほど記録紙用プラテンローラＰ2 から遠ざかるように傾斜しているために、透明カバー１９を記録紙用プラテンローラＰ2 から遠ざけた位置に配置することが可能な構造となっている。さらに、上記透明カバー１９はその表面が記録紙用プラテンローラＰ2 とは反対側を向くように傾斜している。したがって、上記透明カバー１９に対向する原稿用プラテンローラＰ1 については、記録紙用プラテンローラＰ2 からできるだけ遠ざかるように配置することが可能となる。その結果、原稿用プラテンローラＰ1 による原稿移送部分と記録紙用プラテンローラＰ2 による記録紙移送部分との間の距離を大きくとって、それら原稿と記録紙とが互いに干渉し難いものとすることができ、画像の読み取り動作とプリント動作とを円滑に行わせることができる。
【００４６】
上記画像読み書き一体ヘッドＡでは、複数の受光素子３の周囲が光の吸収率が高い黒色の光反射防止部材６によって囲まれているために、原稿Ｄからレンズアレイ５を通過して複数の受光素子３に向けて進行してきた光が、それら複数の受光素子３の周囲において散乱反射しないようにできる。また、上記光反射防止部材６は、ケース１の外部の光が複数の受光素子３の搭載箇所に進入したり、あるいは光源３０から発せられた光がそのまま複数の受光素子３に向けて進行することを阻止する役割も果たす。したがって、複数の受光素子３が外乱光や散乱光を受光しないようにでき、ノイズの少ない画質の高い読み取り画像を得ることが可能となる。
【００４７】
図７は、本願発明に係る画像読み書き一体ヘッドの他の例を示す斜視図である。図７以降の図においては、先の実施形態と同一部分は同一符号で示し、その説明は省略する。
【００４８】
図７に示す画像読み書き一体ヘッドＡａは、記録紙用プラテンローラＰ2 を支持するための支持部２Ａ，２Ａが放熱板７Ａを利用して設けられた構造である。より具体的には、上記支持部２Ａ，２Ａは、基板４の裏面側に重ねられた板金製の放熱板７Ａの長手方向両端部が基板４の長手方向両端部の側方において上向きに屈曲されることによって形成された起立部分であり、上記放熱板７Ａと一体的に形成されている。この支持部２Ａ，２Ａは、先の実施形態の支持部２，２と同様に、記録紙用プラテンローラＰ2 の軸部を嵌入可能な半円弧状部を有する凹部２０，２０を有している。
【００４９】
この画像読み書き一体ヘッドＡａでは、やはり先の実施形態の画像読み書き一体ヘッドＡと同様に、支持部２Ａ，２Ａを利用して記録紙用プラテンローラＰ2 の支持が行え、記録紙用プラテンローラＰ2 と複数の発熱素子８との位置合わせを正確に、しかも簡単に行うことができる。もちろん、記録紙用プラテンローラＰ2 を別の支持手段を利用して固定させた場合には、記録紙用プラテンローラＰ2 の軸部９０ｂを中心として画像読み書き一体ヘッドＡａ全体を回動可能として、透明カバー１９を原稿用プラテンローラＰ1 に押しつけるように弾性部材を利用して付勢することもできる。
【００５０】
なお、上記画像読み書き一体ヘッドＡａでは、放熱板７Ａの長手方向両端部に、ケース１Ａの長手方向両端部に設けられた凹部１８，１８に先端部が係入可能な掛止用突起７４，７４を一体的に形成している。このようにすれば、放熱板７Ａや基板４に対するケース１の組み付けを容易にできる。これらの各部品の組み付けを容易にする手段としては、たとえば図８示すように、ケース１に放熱板７Ａの裏面側に掛止する掛止用突起７４ａを一体的に設けるといった手段を採用することもできる。
【００５１】
上述の実施形態から明らかなように、本願発明では、プラテンローラ用支持手段は、ケースのみならず、放熱板に設けられてもよく、さらには画像読み書き一体ヘッドを構成する基板やそれ以外の部材に設けられていてもよい。また、プラテンローラ用支持手段は、ケースや放熱板などの所定の部材と必ずしも一体的に形成されている必要もなく、別体に形成されていてもかまわない。
【００５２】
さらに、プラテンローラ用支持手段は、記録紙用プラテンローラに代えて、原稿用プラテンローラを支持するものであってもよい。したがって、本願発明の画像読み書き一体ヘッドは、記録紙用プラテンローラと原稿用プラテンローラとの双方を支持する２種類のプラテンローラ用支持手段を備えたものとして構成することもできる。
【００５３】
プラテンローラ用支持手段にプラテンローラを支持させる態様としては、種々の態様が考えられるが、本願発明はその具体的な態様もとくに限定されない。たとえば、図６で示した構造では、ブラケット９１ｂによって固定保持された記録紙用プラテンローラＰ2 を支持部２，２によってさらに支持させるようにしており、上記支持部２，２にいわば記録紙用プラテンローラＰ2 の位置決め用のストッパ的な役割および画像読み書き一体ヘッドの回転支点を構成するための部材としての役割をもたせている。しかしながら、本願発明では、上記ブラケット９１ｂを用いることなく、支持部２，２のみによって記録紙用プラテンローラＰ2 の全体を支持することが可能であり、そのような支持構造にしてもかまわない。したがって、本願発明では、プラテンローラ用支持手段の具体的な形状なども上述の実施形態に限定されず、たとえば半円弧状部を有する凹部に代えて、他の形状の凹部を有するもの、あるいはプラテンローラの軸部を挿通支持可能な非切欠状の孔部を有するものとして形成されていてもかまわない。
【００５４】
その他、本願発明に係る画像読み書き一体ヘッドや画像処理装置の具体的な構成は、上記実施形態に限定されず、種々に設計変更自在である。たとえば、上記実施形態では、光源３０を基板４の表面４ａに搭載しているが、本願発明では、これに代えて、たとえば図９で示した従来のものと同様に、光源を受光素子などを搭載した基板に搭載させることなく、ケース内に組み込むようにしてもかまわない。また、光源としては、ＬＥＤ以外の光源を用いてもよい。
【図面の簡単な説明】
【図１】本願発明に係る画像読み書き一体ヘッドの一例を示す斜視図である。
【図２】図１に示す画像読み書き一体ヘッドの分解斜視図である。
【図３】図１のIII −III 断面図である。
【図４】図１のIV−IV要部断面図である。
【図５】図４のＶ−Ｖ断面図である。
【図６】図１に示す画像読み書き一体ヘッドを具備して構成された画像処理装置の概略構成の一例を示す説明図である。
【図７】本願発明に係る画像読み書き一体ヘッドの他の例を示す斜視図である。
【図８】本願発明に係る画像読み書き一体ヘッドの他の例を示す要部斜視図である。
【図９】従来の画像読み書き一体ヘッドの一例を示す断面図である。
【符号の説明】
１，１Ａ，  ケース
２，２Ａ  支持部（プラテンローラ用支持手段）
３  受光素子
４  基板
４ａ  表面（基板の）
７  放熱板
８  発熱素子（印字用素子）
３０  光源
９２  バネ（弾性部材）
Ａ  画像読み書き一体ヘッド
Ｂ  画像処理装置
Ｄ  原稿
Ｋ  記録紙
Ｓ  画像読み取り対象領域
Ｐ1   原稿用プラテンローラ
Ｐ2   記録紙用プラテンローラ
【図１】
0003734970.tif 000002
【図２】
0003734970.tif 000003
【図３】
0003734970.tif 000004
【図４】
0003734970.tif 000005
【図５】
0003734970.tif 000006
【図６】
0003734970.tif 000007
【図７】
0003734970.tif 000008
【図８】
0003734970.tif 000009
【図９】
0003734970.tif 000010